(57)【要約】【課題】旅客機のハイクラス用シートの姿勢を調節するスイッチ等の用途に用いられ、複数個の操作釦を確実に整列して配設できる多連型複合スイッチを提供する。【解決手段】上ケース６の対向する壁面６Ａ，６Ｂ間に保持された円形軸１１に回動可能に嵌合・保持され、捻りコイルばね２１により通常位置に付勢されたシーソー釦４Ａ，４Ｂと、下部のガイド孔２８の半円形部が円形軸１１に係合して通常位置が決まるように圧縮コイルばね２９により付勢されたプッシュ釦５Ａ，５Ｂとが、それぞれの左第１押圧棒１２Ａおよび第２押圧棒１４を介して配線基板８上の左第１押圧スイッチ９Ａおよび第２押圧スイッチ１０を動作させる多連型複合スイッチとすることにより、複数個の操作釦が整列した多連型複合スイッチ１が得られる。【選択図】図１
2008269828.tif 000002
【特許請求の範囲】
【請求項１】
下面が開口部である直方体形状のケースと、
前記ケースの長手方向の略中心線上で前記開口部の端面と平行に、両端部の壁面により前記ケース内に保持された剛性材料製の円形軸と、
前記ケースの開口部を塞ぐように配設され、上面に複数個の押圧スイッチが配列・装着された配線基板と、
前記複数個の押圧スイッチそれぞれに対応する位置において、前記ケースの天井面下面の筒状部により上下動可能に保持された複数個の第１押圧棒および少なくとも１つの第２押圧棒と、
上部が前記ケースの天井面上に露出して左右の操作面を形成し、両脚部の外側間隔が操作面の幅の１／２以上であるように、前記ケースの天井面を通って下方に突出した２つの脚部先端の円形孔が前記円形軸により回動可能に嵌合保持されるとともに、前記円形軸を挟んで対称位置にある前記左右の操作面それぞれの下面に当接する各前記第１押圧棒の下方位置の前記配線基板上に、前記押圧スイッチが配列されているシーソー釦と、
前記円形軸の周囲にコイル部が配設され、前記ケースの天井面に前記円形軸の軸線を挟んで対称に設けられた角孔の端面に、両端のフック部が一定の付勢力をもって弾接するとともに、前記両端のフック部の延長された先端部が各前記シーソー釦の操作面の下部に設けられた一対の係止部に弾接している捻りコイルばねと、
上部が前記ケースの天井面上に露出して一端部近傍がプッシュ操作面を形成し、支持部の幅が前記プッシュ操作面の幅の１／２以上である回動支持部により、他端部が上下動なく回動可能に前記ケース上に支持されるとともに、前記ケースの天井面の長孔を通って下方に突出した、厚さが前記円形軸の直径よりも薄い脚部先端に設けられた、下部が前記円形軸の外径に係合する半円形でプッシュ操作時の押圧量に対応した長さの長円形であって、前記回動支持部を中心とする回動を規制するガイド孔の中を前記円形軸が貫通するとともに、前記プッシュ操作面の下面に弾接する前記第２押圧棒の下方位置の前記配線基板上に、前記押圧スイッチが配列されているプッシュ釦と、
前記第２押圧棒の外周に巻かれて、前記第２押圧棒を介して前記各プッシュ釦の操作面下面を上方に押して、前記ガイド孔下部の半円形部が前記円形軸に係合するように付勢する圧縮コイルばねとからなり、
少なくとも１つのシーソー釦と少なくとも１つのプッシュ釦が決められた順序に配列されていることを特徴とする多連型複合スイッチ。
【請求項２】
前記プッシュ釦の回動支持部が、前記ケースの天井面上面およびプッシュ釦の他端部下面の両方から突出したＬ字形突出部の横方向突起同士を、一方の係合間隙を他方の前記横方向突起の厚さと等しくすることにより、上下方向の隙間をゼロに設定して組み合わせたものであり、両者の係合長さは、前記プッシュ釦脚部のガイド孔内で前記円形軸が横方向に移動できる量よりも大きいことを特徴とする請求項１に記載の多連型複合スイッチ。
【請求項３】
前記ケースの天井面上面およびプッシュ釦の他端部下面の両方から突出したＬ字形突出部の横方向突起がともに、厚さ寸法が前記係合長さに等しく、先端外側が前記係合間隙の寸法を半径とする円弧状であることを特徴とする請求項２に記載の多連型複合スイッチ。
【請求項４】
前記第１押圧棒とこれを保持する前記筒状部上端面との間、または前記シーソー釦またはプッシュ釦と前記ケース天井面上面との間に、前記第１押圧棒または第２押圧棒の押圧方向の動きを規制するストッパー部を備えることを特徴とする請求項１に記載の多連型複合スイッチ。
【請求項５】
前記シーソー釦の左右の操作面の一方に押圧力が加えられて前記シーソー釦が回動して傾き、その操作面の下面に当接する前記第１押圧棒が押し下げられて下方の前記押圧スイッチが動作する時点において、前記第１押圧棒の上端が当接する前記操作面の下面が前記押圧棒の軸線方向に対して略垂直となるように、通常状態において前記シーソー釦の操作面の下面が前記押圧棒の軸線方向に対して傾斜しているとともに、前記押圧棒の上端が球面形状であることを特徴とする請求項１に記載の多連型複合スイッチ。
【請求項６】
前記シーソー釦の一方の脚部先端の円形孔の周囲に設けられた円筒状のリブの内周または外周に、前記捻りコイルばねのコイル部が配設されていることを特徴とする請求項１に記載の多連型複合スイッチ。
【請求項７】
前記円形軸を保持する前記ケースの長手方向両端部の一方の壁面には、前記円形軸の一定外径よりも僅かに小さくて外方が塞がれた穴が設けられ、他方の端面には、前記円形軸の一定外径よりも僅かに大きい貫通孔が設けられるとともに、前記円形軸の一定外径の一端部は面取りまたは球面に加工され、他端部は、前記貫通孔が設けられた壁面の厚さの範囲内に、前記貫通孔の径よりも僅かに大きい外径の部分があるように加工されたものであることを特徴とする請求項１に記載の多連型複合スイッチ。
【請求項８】
シーソー釦の一方の脚部に設けた円形孔周囲の円筒状のリブの周囲に捻りコイルばねのコイル部を嵌め込むとともに、前記捻りコイルばねの両端のフック部の先端間隔を狭めながら、前記シーソー釦の操作面下部の一対の係止部の間に入れ込んで弾接・保持させてばね付シーソー釦とする工程と、
ケースの天井面下面の筒状部に複数個の第１押圧棒および決められた数の圧縮コイルばねと第２押圧棒とを上方から挿入する工程と、
前記ケースの天井面の角孔に、決められた数の前記ばね付シーソー釦の２つの脚部を挿入
して仮保持させる工程と、
前記ケースの天井面の長孔に、決められた数のプッシュ釦の脚部を挿入するとともに、回動支持部を係合させて仮保持させる工程と、
前記ケースと決められた数の前記ばね付シーソー釦およびプッシュ釦との位置を、保持治具によって保ちながら、円形軸を一端の球面側からケース壁面の貫通孔に挿入し、決められた数の前記ばね付シーソー釦およびプッシュ釦の各脚部先端の円形孔およびガイド孔に順次通してから、最後に球面部を前記ケースの壁面の塞がれた穴内に圧入するとともに、前記円形軸他端の大径部を前記壁面の貫通孔内に圧入してケース仕掛品とする工程を具備することを特徴とする多連型複合スイッチの製造方法。
【発明の詳細な説明】
【技術分野】
【０００１】
本発明は、旅客機のハイクラス用シート等において、着座姿勢を調節するスイッチやその他の用途に用いられる多連型複合スイッチおよびその製造方法に関する。
【背景技術】
【０００２】
近年、旅客機や客船等のハイクラス用のシートやマッサージチェアの背もたれや足のせ台等の角度を変えて、着座姿勢を調節することが行われている。
【０００３】
そして、これらの調節には、同じ操作釦の押す位置によってシートの背もたれや足のせ台の角度を大きくしたり小さくしたり加減する場合と、特定の操作釦を押すことによって標準の椅子としての姿勢やフラットなベッドの状態にする場合とがある。
【０００４】
そして、前者の調節には１つの操作釦の押す位置によって電気信号を切り替えることができるシーソースイッチが使用され、後者の調節には押圧時にＯＮとなるプッシュスイッチを使用することが多い。
【０００５】
また、このようなシートの各種の姿勢調節用スイッチは１箇所に集めておく方が使用者に好都合であるので、調節用のシーソースイッチやプッシュスイッチは一列に並べて配置されることが多く、その際、表面に調節内容が表示される操作釦が装着される。
【０００６】
このような目的に対して、従来は、特許文献１や特許文献２に記載されたような単体のシーソースイッチやプッシュスイッチを配線基板上に複数個並べて装着することにより対応していた。
【特許文献１】特開平６−７３８４０号公報
【特許文献２】特開平１０−９２２６０号公報
【発明の開示】
【発明が解決しようとする課題】
【０００７】
しかし、単体のスイッチを配線基板上に複数個並べて半田付け等により装着する場合には、綺麗に並べて配置することは難しく、列が乱れたり、浮き上がって傾いたりするものがあると、表面に調節内容を表示した操作釦が不揃いになるので、配線基板に単体のスイッチを装着した後に確認や手直しをすることが必要であり、スイッチの装着作業に手間がかかっていた。
【０００８】
また、シーソースイッチとプッシュスイッチで操作釦の装着方法が異なることも、操作釦の整列を難しくしていた。
【０００９】
本発明は、このような課題を解決するためになされたものであり、複数個のシーソースイッチの操作釦とプッシュスイッチの操作釦を確実に整列して配設することができ、並べられた複数個の操作釦が、通常状態において上面視・側面視ともに安定した配列状態であり、また操作時の感触が円滑である多連型複合スイッチを提供することを目的とする。
【課題を解決するための手段】
【００１０】
上記課題を解決するために、本発明の多連型シーソースイッチは、下面が開口部である直方体形状のケースと、ケースの上面視長手方向の略中心線上で開口部端面と平行に、両端部の壁面によりケース内に保持された剛性材料製の円形軸と、ケースの開口部を塞ぐように配設され、上面に複数個の押圧スイッチが配列・装着された配線基板と、複数個の押圧スイッチそれぞれに対応する位置において、ケースの天井面下面の筒状部により上下動可能に保持された複数個の第１押圧棒および少なくとも１つの第２押圧棒と、上部がケースの天井面上に露出して左右の操作面を形成し、両脚部の外側間隔が操作面の幅の１／２以上であるように、ケースの天井面を通って下方に突出した２つの脚部先端の円形孔が円形軸により回動可能に嵌合保持されるとともに、上面視円形軸を挟んで対称位置にある左右の操作面それぞれの下面に当接する各第１押圧棒の下方位置の配線基板上に押圧スイッチが配列されているシーソー釦と、円形軸の周囲にコイル部が配設され、ケースの天井面に円形軸の軸線を挟んで対称に設けられた角孔の端面に、両端のフック部が一定の付勢力で弾接すると同時に、両端のフック部の延長された先端部が各シーソー釦の操作面の下部に設けられた一対の係止部に弾接している捻りコイルばねと、上部がケースの天井面上に露出して一端部近傍がプッシュ操作面を形成し、支持部の幅がプッシュ操作面の幅の１／２以上である回動支持部により、他端部が上下動なく回動可能にケース上に支持されるとともに、ケースの天井面の長孔を通って下方に突出した、厚さが円形軸の直径よりも薄い脚部先端に設けられた、下部が円形軸の外径に係合する半円形でプッシュ操作時の押圧量に対応した長さの長円形であって、回動支持部を中心とする回動を規制するガイド孔の中を円形軸が貫通するとともに、プッシュ操作面の下面に弾接する第２押圧棒の下方位置の配線基板上に、押圧スイッチが配列されているプッシュ釦と、第２押圧棒の外周に巻かれて、第２押圧棒を介して各プッシュ釦の操作面下面を上方に押し、ガイド孔下部の半円形部が円形軸に係合するように付勢する圧縮コイルばねとで構成され、少なくとも１つのシーソー釦と少なくとも１つのプッシュ釦が決められた順序に配列されているものである。
【００１１】
このような構成とすることにより、シーソー釦が剛性材料からなる１本の円形軸に嵌合保持され、通常状態において、ケースに設けられた角孔の端面に弾接している捻りコイルばねによって位置決めされるとともに、プッシュ釦も、圧縮コイルばねに押されてガイド孔下部の半円形部が同じ円形軸に係合するので、並べられた複数個のシーソー釦およびプッシュ釦は上面視・側面視ともに整列した配列状態とすることができ、更に操作時には、シーソー釦は円形軸を中心として円滑に回動して第１押圧棒を垂直に押し下げ、プッシュ釦は回動支持部を支点として動いて第２押圧棒を垂直に押し下げ、それぞれ押圧スイッチを真直ぐに押してスイッチ動作をさせ、その後にばねの力により元の位置に復帰するので、スイッチング動作も確実な多連型シーソースイッチを実現することができる。
【００１２】
また、上記構成において、プッシュ釦の回動支持部が、ケースの天井面上面およびプッシュ釦の他端部下面の両方から突出したＬ字形突出部の横方向突起同士を、一方の係合間隙を他方の横方向突起の厚さと等しくすることにより、上下方向の隙間をゼロに設定して組み合わせたものであり、両者の係合長さは、プッシュ釦脚部のガイド孔内で円形軸が横方向に移動できる量よりも大きいようにしてもよい。
【００１３】
このような構成とすることにより、プッシュ釦の回動支持部を、簡単な構造で、容易に組立てができて、通常状態および操作時にがたつきや外れる等の支障が生じ難く、多少の水平動のできるものとすることができる。
【００１４】
また、上記構成において、ケースの天井面上面およびプッシュ釦の他端部下面の両方から突出したＬ字形突出部の横方向突起がともに、厚さ寸法が係合長さに等しく、先端外側が係合寸法を半径とする円弧状であるようにしてもよい。
【００１５】
このような構成とすることにより、良好な特性の回動支持部を最もコンパクトに形成することができる。
【００１６】
また、上記構成において、第１押圧棒とこれを保持する筒状部上端面との間、またはシーソー釦またはプッシュ釦とケース天井面上面との間に、第１押圧棒または第２押圧棒の押圧方向の動きを規制するストッパー部を備えるようにしてもよい。
【００１７】
このような構成とすることにより、各押圧棒を介して各押圧スイッチの押圧部が押し込まれるストローク量を規制して、押圧部が不必要に押し込まれて押圧スイッチが損傷を受けることを防止できる。
【００１８】
また、上記構成において、シーソー釦の左右の操作面の一方に押圧力が加えられてシーソー釦が回動して傾き、その操作面の下面に当接する第１押圧棒が押し下げられて下方の押圧スイッチが動作する時点において、第１押圧棒の上端が当接する操作面の下面が押圧棒の軸線方向に対して略垂直となるように、通常状態においてシーソー釦の操作面の下面が押圧棒の軸線方向に対して傾斜しているとともに、押圧棒の上端が球面形状であるようにしてもよい。
【００１９】
このような構成とすることにより、シーソー釦を押して第１押圧棒が下り始めて押圧スイッチの押圧部が動き始める時点での押圧力は小さくてよいので、操作面の傾斜した下面から第１押圧棒に加わる力が下方に押し下げる分力と横方向に押す分力に分かれて、押し下げる力が少なくなっても、第１押圧棒の球面形状の上端部で滑って横方向の分力を逃がして、第１押圧棒は容易に押し下げられる。
【００２０】
そして、最も大きな押し下げ力を押圧スイッチに加える必要があるスイッチ動作時点において、操作面の下面が垂直に押圧棒を押すので横方向への分力はなく、確実にスイッチ動作をさせることができる。
【００２１】
また、上記構成において、シーソー釦の一方の脚部先端の円形孔の周囲に設けられた円筒状のリブの内周または外周に、捻りコイルばねのコイル部が配設されているようにしてもよい。
【００２２】
このような構成とすることにより、本発明の多連型複合スイッチの製造工程において、シーソー釦を上ケース内に組み込む際に、このリブで捻りコイルばねのコイル部、すなわち捻りコイルばね全体の位置を安定させた状態で、捻りコイルばねの両端のフック部の先端をシーソー釦の操作面下部の一対の突出部に一定の力で弾接・支持させることができ、シーソー釦と捻りコイルばねをあらかじめ一体化した状態でケース内へ容易に組み込むことができる。
【００２３】
また、上記構成において、円形軸を保持するケースの長手方向両端部の一方の壁面には、円形軸の一定外径よりも僅かに小さくて外方が塞がれた穴が設けられ、他方の壁面には、円形軸の一定外径よりも僅かに大きい貫通孔が設けられるとともに、円形軸の一定外径の一端部は面取りまたは球面に加工され、他端部は、貫通孔が設けられた壁面の厚さの範囲内に、貫通孔の径よりも僅かに大きい外径の部分があるようにしてもよい。
【００２４】
このような構成とすることにより、本発明の多連型複合スイッチの製造工程において、円形軸をケースの長手方向両端部の壁面に保持させる際に、円形軸の面取りまたは球面に加工された一端部を一方の壁面の大きい貫通孔から容易に挿入することができ、この一端部が他方の壁面に達したら、面取りまたは球面部分をガイドにして塞がれた穴内に圧入することができ、また同時に、円形軸の他端部の大きい外径の部分を一方の壁面の大きい貫通孔内に圧入することによって、円形軸を上ケースの長手方向両端部の壁面に容易にがたつきなく保持させることができる。
【００２５】
また本発明の多連型複合スイッチの製造方法は、シーソー釦の一方の脚部に設けた円形孔周囲の円筒状のリブの周囲に捻りコイルばねのコイル部を嵌めこむとともに、捻りコイルばねの両端のフック部の先端間隔を狭めながら、シーソー釦の操作面下部の一対の係止部の間に入れ込んで弾接・保持させてばね付シーソー釦とする工程と、ケースの天井面下面の筒状部に複数個の第１押圧棒および決められた数の圧縮コイルばねと第２押圧棒とを上方から挿入する工程と、ケースの天井面の角孔に、ばね付シーソー釦の２つの脚部を挿入して仮保持させる工程と、ケースの天井面の長孔に、プッシュ釦の脚部を挿入するとともに、回動支持部を係合させて仮保持させる工程と、ケースとばね付シーソー釦およびプッシュ釦との位置を、保持治具によって保ちながら、円形軸を一端の球面側からケース壁面の貫通孔に挿入し、ばね付シーソー釦およびプッシュ釦の各脚部先端の円形孔およびガイド孔に順次通してから、最後に球面部をケースの壁面の塞がれた穴内に圧入するとともに、円形軸他端の大径部を壁面の貫通孔内に圧入してケース仕掛品とする工程を具備するようにしてもよい。
【００２６】
このような製造方法によれば、シーソー釦およびプッシュ釦が、それぞれの脚部の円形孔およびガイド孔内を円形軸が貫通し、捻りコイルばねおよび圧縮コイルばねにより通常状態位置に付勢された状態でケースに保持された、ケース仕掛品を効率よく安定して製造することができる多連型複合スイッチの製造方法を実現できる。
【発明の効果】
【００２７】
本発明の多連型複合スイッチは、シーソー釦が１本の円形軸に嵌合保持され、通常状態において、ケースに設けられた角孔の端面に弾接する捻りコイルばねによって位置決めされるとともに、プッシュ釦もガイド孔下部の半円形部が同じ円形軸に係合するように圧縮コイルばねによって押し付けられているので、並べられた複数個のシーソー釦およびプッシュ釦は上面視・側面視ともに整列した配列状態とすることができる。
【００２８】
更に操作時には、シーソー釦は円形軸を中心として円滑に回動して下面の第１押圧棒を押し下げ、プッシュ釦は回動支持部を支点として動いて下面の第２押圧棒を押し下げて、それぞれ押圧スイッチを真直ぐに押してスイッチ動作させ、その後にばねの力により元の位置に復帰する。
【００２９】
この結果、使用機器において操作内容を表示した複数個の操作釦をすっきりと揃えることができるとともに、操作時のスイッチング動作が円滑で確実な多連型複合スイッチを実現できるという大きな効果を奏する。
【発明を実施するための最良の形態】
【００３０】
以下、本発明の実施の形態について、図面を参照しながら説明する。
【００３１】
（実施の形態）
図１は、本発明の一実施の形態による４連型複合スイッチの正面断面図、図２は図１のＤ−Ｄ線における断面図、図３は図１のＥ−Ｅ線における断面図、図４は図１のＦ−Ｆ線における断面図で、図５は外観斜視図である。
【００３２】
本実施の形態による４連型複合スイッチ１は旅客機のハイクラス用等のシートの姿勢を調節するためのもので、図５に示すように、シートの「背もたれ」の角度を加減するシーソースイッチ２Ａとシートの「足のせ台」の角度を加減するシーソースイッチ２Ｂおよび「標準の椅子」の状態にするプッシュスイッチ３Ａと「フラットなベッド」の状態にするプッシュスイッチ３Ｂからなる。
【００３３】
そして、図１〜図４に示すように、本実施の形態による４連型複合スイッチ１の筐体部は、ポリエーテルイミド（ＰＥＩ）やポリブチレンテレフタレート（ＰＢＴ）等の耐熱性、機械的強度、電気特性の優れた樹脂で形成され、下面が開口部である直方体形状の上ケース６と、上ケース６と同様の樹脂で略同じ投影寸法に形成されて上面が開口部であり、互いの周囲壁の間にガラス・エポキシ樹脂製の配線基板８を挟んで上ケース６と結合された下ケース７とで構成されている。
【００３４】
この配線基板８の上面には、シーソースイッチ２Ａ，２Ｂ用としての対となった２組の左第１押圧スイッチ９Ａ（以下の説明では、左押圧スイッチ９Ａと表す）と右第１押圧スイッチ９Ｂ（以下の説明では、右押圧スイッチ９Ｂと表す）からなる２組４つの押圧スイッチが、それぞれのシーソー釦４Ａ，４Ｂの下方で、配線基板８の長手方向中心線を挟んで両側に配設されるとともに、プッシュスイッチ３Ａ，３Ｂ用としての２つの第２押圧スイッチ１０が、それぞれのプッシュ釦５Ａ，５Ｂの下方で、配線基板８の側端部近くに配設されている。
【００３５】
これらの左押圧スイッチ９Ａと右押圧スイッチ９Ｂおよび第２押圧スイッチ１０は、それぞれの押圧部に押圧力を加えて押し込むことによってＯＮとなり、押圧力を除くと押圧部は元の位置に自己復帰してＯＦＦとなるタイプのスイッチである。
【００３６】
なお、２つのシーソー釦４Ａ，４Ｂおよび２つのプッシュ釦５Ａ，５Ｂは、ＡＢＳ樹脂等で形成され、その操作面上には、操作時に調節できる内容が図で表示されている（図５参照）。
【００３７】
また、配線基板８の長手方向中心線の上方には、ステンレス鋼や高力アルミニウム等の剛性材料からなる円形軸１１が上ケース６の長手方向両端部の壁面６Ａ，６Ｂにより、配線基板８と平行に保持されている。
【００３８】
そして、シーソースイッチ２Ａ，２Ｂ用の２組の左押圧スイッチ９Ａと右押圧スイッチ９Ｂの各押圧部それぞれに当接する左第１押圧棒１２Ａ（以下の説明では、左押圧棒１２Ａと表す）と右第１押圧棒１２Ｂ（以下の説明では、右押圧棒１２Ｂと表す）の２組が、上ケース６の天井面の対応する位置に設けられた２組の筒状部１３Ａ，１３Ｂの保持孔により上下動可能に保持されているとともに（図２参照）、プッシュスイッチ３Ａ，３Ｂ用の２つの第２押圧スイッチ１０の各押圧部それぞれに当接する２つの第２押圧棒１４が天井面の筒状部１５の段付保持孔１５Ａにより上下動可能に保持されている（図４参照）。
【００３９】
上記のように、上ケース６の天井面には、２組の左押圧スイッチ９Ａと右押圧スイッチ９Ｂそれぞれに対応する２つの同形状寸法のシーソー釦４Ａ，４Ｂが配設されており、上ケース６の天井面の２組の大角孔１６Ａと小角孔１６Ｂを貫通して下方へ延ばされた、それぞれの主脚部１７Ａと副脚部１７Ｂの先端の円形孔１８Ａ，１８Ｂが円形軸１１に嵌合して、独立して回動可能なように保持されるとともに、上ケース６の天井面上に露出した上面の両端部近傍がそれぞれ反対方向への傾倒操作部としての左操作面１９Ａおよび右操作面１９Ｂを形成し、その下面が２組の左押圧棒１２Ａと右押圧棒１２Ｂの上端の球面形状部に当接している（図２参照）。
【００４０】
なお、２つのシーソー釦４Ａ，４Ｂから下方へ延ばされた主脚部１７Ａと副脚部１７Ｂの外側間隔は、左操作面１９Ａおよび右操作面１９Ｂからなる操作面の幅寸法の１／２以上であるように広く設定されている。
【００４１】
また、２つのシーソー釦４Ａ，４Ｂの主脚部１７Ａの側面にはそれぞれ捻りコイルばね２１が配設されており、そのコイル部２１Ａが各円形孔１８Ａの周囲に設けられた円筒状のリブ２０の外周に配されるとともに、両端の左フック部２２Ａと右フック部２２Ｂが上ケース６の天井面に円形軸１１の軸線を挟んで対称に設けられた大角孔１６Ａの斜面になった端面に一定の付勢力で弾接すると同時に、この両フック部２２Ａ，２２Ｂの延長された先端部が２つのシーソー釦４Ａ，４Ｂの左操作面１９Ａと右操作面１９Ｂの下部に設けられた一対の左係止部２３Ａと右係止部２３Ｂにそれぞれ弾接している。
【００４２】
このように、捻りコイルばね２１の左フック部２２Ａと右フック部２２Ｂが、上ケース６の天井部の大角孔１６Ａの端面とシーソー釦４Ａ，４Ｂの下部の左係止部２３Ａと右係止部２３Ｂに同時に弾接していることによって、２つのシーソー釦４Ａ，４Ｂは通常状態において中立水平位置を保っている（図３参照）。
【００４３】
一方、上ケース６の天井面の、２つの第２押圧スイッチ１０に対応する位置には、２つの同形状寸法のプッシュ釦５Ａ，５Ｂが配設されており、上ケース６の天井面上に露出した上面の一端部近傍がプッシュ操作面２４を形成し、他端部は、上ケース６の天井上面とプッシュ釦５Ａ，５Ｂの他端部下面との間に構成された、プッシュ操作面２４の１／２以上の幅を有する回動支持部２５によって、上下動なく回動可能になるように上ケース６に支持されている。
【００４４】
そして、上ケース６の天井面の筒状部１５の段付保持孔１５Ａと同一線上に設けられた長孔２６を貫通して下方へ延ばされた、円形軸１１の直径よりも薄い寸法である脚部２７の先端の長円形のガイド孔２８内を円形軸１１が貫通するとともに、プッシュ操作面２４の下面には圧縮コイルばね２９により上方へ付勢された第２押圧棒１４の上端の球面形状部が弾接して、２つのプッシュ釦５Ａ，５Ｂをそれぞれ上方へ押し上げている。
【００４５】
これによって、２つのプッシュ釦５Ａ，５Ｂの脚部２７先端のガイド孔２８の下部の半円形部が円形軸１１に係合し、通常状態において２つのプッシュ釦５Ａ，５Ｂは、広い幅の回動支持部２５と薄い寸法のガイド孔２８とで指示されて中立水平位置を保っている（図４参照）。
【００４６】
ここで、２つのプッシュ釦５Ａ，５Ｂの他端部を、上下動なく回動可能になるように上ケース６上に支持する回動支持部２５の構成について説明する。
【００４７】
図４および図６（ａ）の本発明の一実施の形態による４連型複合スイッチのプッシュ釦の回動支持部の拡大断面図に示すように、回動支持部２５は、上ケース６の天井面から上方へのＬ字形突出部３０の右方向突起３０Ａの厚さ寸法および係合間隙の高さ寸法と、プッシュ釦５Ａ，５Ｂの他端部の下方に側壁を利用して設けられたＬ字形突出部３１の左方向突起３１Ａの高さ寸法を、何れも両者の係合長さｄと同じにし、右方向突起３０Ａと左方向突起３１Ａを組み合わせて回動支持部２５としたものである。
【００４８】
このような回動支持部２５とすることにより、簡単な構成でコンパクトに形成でき、組立てが容易であって、通常状態および操作時にがたつきや外れる等の支障が生じ難く、多少の水平動のできる回動支持部とすることができる。
【００４９】
なお、この回動支持部２５の幅寸法Ｌはプッシュ操作面２４の幅の１／２以上必要であるが、図６（ａ）のＧ−Ｇ線における断面図である図６（ｂ）に示すように、全体が一体であっても、同図（ｃ）に示すように、中間部がなくて両端部で支持するようにしてもよい。
【００５０】
また、回動支持部２５の構成として、上記の図４および図６に示した構成でなくて、図７（ａ）〜図７（ｃ）のプッシュ釦の回動支持部の他の構成を説明する正面断面図に示すように、上ケース６の天井面およびプッシュ釦５Ａ，５Ｂの他端部の下面に設けるＬ字形突出部３２Ａ〜３２Ｃ，３４Ａ〜３４Ｃおよびこれらの横方向突起３３Ａ〜３３Ｃ，３５Ａ〜３５Ｃのように、突出する向きや形状を変えても、同様の特徴を有する回動支持部を得ることができる。
【００５１】
次に、プッシュ釦５Ａ，５Ｂの脚部２７の先端に設けられるガイド孔２８について説明する。
【００５２】
図８（ａ）の本発明の一実施の形態による４連型複合スイッチのプッシュ釦の脚部のガイド孔の拡大図に示すように、ガイド孔２８は、下部が同図に点線で示すような円形軸１１の外径に係合する半円形である長円で、その上部は、上記の回動支持部２５の回動中心点からの半径Ｒ１，Ｒ２に沿って、プッシュ操作時の押圧量に対応する量だけ円弧状に伸ばされた長円形であればよい。
【００５３】
しかし、実際にはプッシュスイッチ３Ａ，３Ｂの操作時にプッシュ釦５Ａ，５Ｂが押圧されて動く量は回動中心点からの距離に比較して非常に小さいので、ガイド孔２８の形状は、回動中心点からの半径に沿って直線状に伸ばした長円形でもよい。
【００５４】
この形状の差によってプッシュ釦５Ａ，５Ｂの円形軸１１の外径に対する動きに僅かなずれがあっても、上記の回動支持部２５でプッシュ釦５Ａ，５Ｂが水平動をして吸収することができる。
【００５５】
更に、図８（ｂ）に示すように、ガイド孔３６の上部を円形軸１１の外径よりも少し大きくした方が、プッシュスイッチ３Ａ，３Ｂの操作時にプッシュ釦５Ａ，５Ｂの動きがスムーズになるが、この時ガイド孔３６内で円形軸が横方向に移動できる量を、回動支持部２５の係合長さｄよりも小さくしておかなければならない。
【００５６】
そして、本実施の形態による４連型複合スイッチ１の配線基板８の下面には、シーソースイッチ２Ａ，２Ｂ用としての対となった２組の左第１押圧スイッチ９Ａと右第１押圧スイッチ９Ｂからなる２組４つの押圧スイッチおよびプッシュスイッチ３Ａ，３Ｂ用としての２つの第２押圧スイッチ１０からの信号を取り出すためのコネクタ３７が装着され、リード線３８を経て使用機器の回路に伝達されるようになっている。
【００５７】
本実施の形態による４連型複合スイッチ１は以上のように構成されるものであり、シーソー釦４Ａ，４Ｂが１本の円形軸１１に嵌合保持され、通常状態において、上ケース６の大角孔１６Ａの端面に弾接している捻りコイルばね２１によって位置決めされるとともに、プッシュ釦５Ａ，５Ｂも、圧縮コイルばね２９に押されて、脚部２７のガイド孔２８下部の半円形部が同じ円形軸１１に係合しているので、並べられた複数個のシーソー釦４Ａ，４Ｂおよびプッシュ釦５Ａ，５Ｂは上面視・側面視ともに整列した配列状態であり、更に操作時には、シーソー釦４Ａ，４Ｂは円形軸１１を中心として円滑に回動して両第１押圧棒１２Ａ，１２Ｂを垂直に押し下げ、プッシュ釦５Ａ，５Ｂは回動支持部２５を支点として動いて第２押圧棒１４を垂直に押し下げ、それぞれ両押圧スイッチ９Ａ，９Ｂおよび第２押圧スイッチ１０を真直ぐに押して動作させることができる。
【００５８】
次に、本実施の形態による４連型複合スイッチ１の製造方法について説明する。
【００５９】
まず、図９の本発明の一実施の形態による４連型複合スイッチのシーソー釦と捻りコイルばねの結合方法を説明する部分断面の側面図に示すように、捻りコイルばね２１のコイル部２１Ａを、シーソー釦４Ａ，４Ｂの主脚部１７Ａに設けた円形孔１８Ａの周囲の円筒状のリブ２０の外周に嵌め込むとともに、図９に矢印で示すように、両側の左フック部２２Ａと右フック部２２Ｂの先端間隔を狭めながら、シーソー釦４Ａ，４Ｂの左操作面１９Ａ下面の左係止部２３Ａと右操作面１９Ｂ下面の右係止部２３Ｂの間に入れ込んで、両フック部２２Ａ，２２Ｂの先端を２つの係止部２３Ａ，２３Ｂに弾接・保持させて、ばね付シーソー釦３９とする。
【００６０】
このように、ばね付シーソー釦３９としてシーソー釦４Ａ，４Ｂと捻りコイルばね２１とをあらかじめ一体化させておくことによって、下記の上ケース６に組み込む作業が非常に容易になる。
【００６１】
なお、捻りコイルばね２１のコイル部２１Ａは、主脚部１７Ａに設けた円形孔１８Ａの周囲の円筒状のリブ２０の内周に嵌め込む構成にしてもよいが、その場合は、下記に説明する、円形孔１８Ａに円形軸１１を通す際に邪魔にならないような設定にする必要がある。
【００６２】
次に、図１０（ａ）の本発明の一実施の形態による４連型複合スイッチの上ケースへのシーソー釦の挿入方法を説明する部分正面断面図および同図のＨ−Ｈ線における断面図である図１０（ｂ）に示すように、上ケース６の天井面中央の２箇所に対として設けられた筒状部１３Ａ，１３Ｂの保持孔に、上方から左押圧棒１２Ａと右押圧棒１２Ｂをそれぞれ挿入し、次いで、天井面中央の２箇所の大角孔１６Ａと小角孔１６Ｂに、上記のばね付シーソー釦３９の主脚部１７Ａと副脚部１７Ｂをそれぞれ挿入する。
【００６３】
この時、ばね付シーソー釦３９の主脚部１７Ａが保持した捻りコイルばね２１の左フック部２２Ａと右フック部２２Ｂの外側が大角孔１６Ａの斜めになった端面（図１０（ｂ）参照）に当たる位置まで入ると、各ばね付シーソー釦３９の主脚部１７Ａと副脚部１７Ｂの先端の円形孔１８Ａ，１８Ｂは、上ケース６の長手方向端部の壁面６Ａに設けられた閉ざされた穴４０Ａおよび壁面６Ｂに設けられた貫通孔４０Ｂとほぼ同じ中心線上にくる。
【００６４】
引き続いて、図１１の本発明の一実施の形態による４連型複合スイッチの上ケース６へのプッシュ釦５Ａ，５Ｂの挿入方法を説明する側断面図において、まず同図（ａ）に示すように、上ケース６の天井面両端の２箇所に設けられた筒状部１５の段付保持孔１５Ａに上方から圧縮コイルばね２９とともに第２押圧棒１４を挿入した後、筒状部１５の段付保持孔１５Ａと同一線上に設けられた長孔２６にプッシュ釦５Ａ，５Ｂの脚部２７を挿入する。
【００６５】
この時、同図（ｂ）に示すように、プッシュ釦５Ａ，５Ｂを上ケース６に対し中心を少し右へずらしながら脚部２７を長孔２６内へ挿入して、Ｌ字形突出部３１のない側の下面で先に挿入した第２押圧棒１４を押し下げながら、上ケース６の天井面から突出しているＬ字形突出部３０の右方向突起３０Ａの右横の天井面上に、プッシュ釦５Ａ，５ＢのＬ字形突出部３１の先端部を載せる。
【００６６】
そしてこの状態で、図１１（ｂ）に矢印で示すように、プッシュ釦５Ａ，５Ｂを図面の左方向へずらすことによって、Ｌ字形突出部３０の右方向突起３０Ａの下にＬ字形突出部３１の左方向突起３１Ａが入り込んで両者が組み合わされて回動支持部２５を形成し、これによってプッシュ釦５Ａ，５Ｂは上ケース６に仮保持される。
【００６７】
以上のようにして上ケース６にシーソー釦４Ａ，４Ｂおよびプッシュ釦５Ａ，５Ｂを挿入したものに対して、次は、円形軸１１を挿入・装着する。
【００６８】
図１２の本発明の一実施の形態による４連型複合スイッチの釦挿入後の上ケースに円形軸を挿入する方法を説明する正面断面図に示すように、保持治具４１によってシーソー釦４Ａ，４Ｂとプッシュ釦５Ａ，５Ｂの操作面が同一面上にあるように保持して、シーソー釦４Ａ，４Ｂの両脚部の円形孔１８Ａ，１８Ｂとプッシュ釦５Ａ，５Ｂの脚部２７のガイド孔２８が、上ケース６の長手方向端部の壁面６Ａに設けられた閉ざされた穴４０Ａおよび壁面６Ｂに設けられた貫通孔４０Ｂとほぼ同じ中心線上にあるようにする。
【００６９】
そして、円形軸１１を一端の球面部１１Ａ側から上ケース６の壁面６Ｂの貫通孔４０Ｂ内に挿入し、プッシュ釦５Ａの脚部２７先端のガイド孔２８、２つのばね付シーソー釦３９の各主脚部１７Ａ，副脚部１７Ｂ先端の円形孔１８Ａ，１８Ｂおよびプッシュ釦５Ｂの脚部先端のガイド孔２８に順次通してから、最後に球面部１１Ａの部分を上ケース６の壁面６Ａの塞がれた穴４０Ａ内に圧入するとともに、円形軸１１他端の大径部１１Ｂを壁面６Ｂの貫通孔４０Ｂ内に圧入すると、図１３の本発明の一実施の形態による４連型複合スイッチの最終組合せ工程を説明する正面断面図に示すような、上ケース仕掛品４２となる。
【００７０】
なお、この釦挿入後の上ケースに円形軸１１を挿入する場合に、保持治具４１を下側にして上ケース６の開口部側を上向きにすれば、円形軸１１が各脚部のガイド孔２８や円形孔１８Ａ，１８Ｂに入る部分を目視確認しながら、容易に確実に挿入作業をすることができる。
【００７１】
ここで、円形軸１１の外径と、上ケース６の長手方向両端部の壁面６Ａ，６Ｂに設ける塞がれた穴４０Ａおよび貫通孔４０Ｂとの関係について説明する。
【００７２】
円形軸１１は、一定外径のステンレス丸棒または高力アルミニウム合金棒等を所定の長さに切断した後、図１２に示すように、一定外径部の一端を球面部１１Ａに加工し、他端は、上ケース６の壁面６Ｂの厚さの範囲内の部分に、小穴をあけて外径を膨らませる等の方法で、大径部１１Ｂに加工したものである。
【００７３】
そして、上ケース６の壁面６Ａの塞がれた穴４０Ａの径は円形軸１１の一定外径よりも僅かに小さく、壁面６Ｂの貫通孔４０Ｂの径は円形軸１１の一定外径よりも僅かに大きく、しかも他端の大径部１１Ｂよりも僅かに小さく形成されている。
【００７４】
したがって、図１２に示したように、円形軸１１は、一端の球面部１１Ａをガイドとして、上ケース６の壁面６Ｂの貫通孔４０Ｂ内に挿入し、プッシュ釦５Ａの脚部２７先端のガイド孔２８、２つのばね付シーソー釦３９の各主脚部１７Ａ，副脚部１７Ｂ先端の円形孔１８Ａ，１８Ｂおよびプッシュ釦５Ｂの脚部先端のガイド孔２８に順次通して、最後に球面部１１Ａを上ケース６の壁面６Ａの塞がれた穴４０Ａ内に圧入するとともに、他端の大径部１１Ｂを壁面６Ｂの貫通孔４０Ｂ内に圧入して、円形軸１１を上ケース６の長手方向両端部の壁面６Ａ，６Ｂに、容易にしかもがたつきなく保持させた上ケース仕掛品４２とすることができる。
【００７５】
なお、円形軸１１一端は球面でなくて面取り加工でもよく、また他端は外径の一部を変形させて大径の部分を形成してもよいものである。
【００７６】
この後、図１３に示すように、対となった２組の左押圧スイッチ９Ａと右押圧スイッチ９Ｂおよび２つの第２押圧スイッチ１０を上面に、リード線３８付のコネクタ３７を下面に、それぞれ装着した配線基板仕掛品４３を下ケース７の周囲壁と上記上ケース仕掛品４２下面の周囲壁との間に挟み込んで、両ケースの間をビス（図示せず）で固定すれば、図１に示した本実施の形態による４連型複合スイッチ１として完成する。
【００７７】
なお、このようにして両ケースを組み合わせることにより、上ケース６の壁面６Ｂの貫通孔４０Ｂの外方は下ケース７の周囲壁の延長部４４により塞がれて、円形軸１１は抜けなくなる。
【００７８】
次に、本実施の形態による４連型複合スイッチ１の動作について説明する。
【００７９】
上記の図５に示した、この４連型複合スイッチ１で調節できる４つの機能のうちの１つの機能、例えば、シートの「背もたれ」の角度を調節する場合について説明する。
【００８０】
まず、図５に示す４連型複合スイッチ１の４つの操作釦のうち、「背もたれの角度調節」の図が表示されるシーソー釦４Ａを選んだ場合の動作について説明する。
【００８１】
シーソー釦４Ａの操作面を左側から見て、左端部近傍のＶ印が記された左操作面１９Ａを下方へ押すと、図１に示したＤ−Ｄ線およびＥ−Ｅ線における動作状態を説明する断面図である、図１４および図１５において、シーソースイッチ２Ａのシーソー釦４Ａは捻りコイルばね２１の付勢力に抗して、主脚部１７Ａ，副脚部１７Ｂの先端の円形孔１８Ａ，１８Ｂが嵌合した円形軸１１を中心として左方向に回動する。
【００８２】
すなわち、捻りコイルばね２１の右フック部２２Ｂがシーソー釦４Ａの右係止部２３Ｂに先端部を押されて上ケース６の大角孔１６Ａの端面から離れるとともに、シーソー釦４Ａの左操作面１９Ａの傾斜した下面が当接している左押圧棒１２Ａ上端の球面形状部を下方に押す。
【００８３】
これによって、左押圧棒１２Ａの下端が当接している左押圧スイッチ９Ａの押圧部を真直ぐ下方に押して、左押圧スイッチ９ＡをＯＮにさせると、その電気信号によってシートの「背もたれ」が起き上がり始める。
【００８４】
そして、「背もたれ」が所望の角度まで起きた時点でシーソー釦４Ａの左操作面１９Ａに加えていた押力を除くと、下面の右係止部２３Ｂが捻りコイルばね２１の右フック部２２Ｂの先端部に押されてシーソー釦４Ａが回動し、右フック部２２Ｂが上ケース６の大角孔１６Ａの端面に当たる位置まで戻り、左押圧スイッチ９Ａは再びＯＦＦとなり、その押圧部も自己復帰力によって元の位置に戻り、左押圧棒１２Ａを元の位置まで押し上げる。
【００８５】
このようにして、シートの「背もたれ」を起こす方向に調節することができる。
【００８６】
なお、このシーソー釦４Ａの左操作面１９Ａを押圧操作する時の押圧ストロークは、左押圧棒１２Ａの先端の大径部が筒状部１３Ａの端面である上ケース６の天井面に当たるか、またはシーソー釦４Ａの左操作面１９Ａ下方の側壁の端部が上ケース６の天井面に当たることにより規制されて、左押圧スイッチ９Ａを過大に押さないようになっている。
【００８７】
同様に、シーソー釦４Ａの右操作面１９Ｂを下方へ押すと、今度は右押圧スイッチ９Ｂが動作してシートの「背もたれ」を倒す方向に調節することができる。
【００８８】
シーソースイッチ２Ａ，２Ｂは以上のように動作するものであって、シーソー釦４Ａまたはシーソー釦４Ｂの操作面を押して左押圧棒１２Ａまたは右押圧棒１２Ｂが下り始めて左押圧スイッチ９Ａまたは右押圧スイッチ９Ｂの押圧部が動き始める時点での押圧力は小さくてよいので、操作面の傾斜した下面から左押圧棒１２Ａまたは右押圧棒１２Ｂに加わる力が下方に押し下げる分力と横方向に押す分力に分かれて、押し下げる力が小さくなっても、左押圧棒１２Ａまたは右押圧棒１２Ｂの上端の球面形状部で滑って横方向の分力を逃がし、左押圧棒１２Ａまたは右押圧棒１２Ｂを容易に押し下げることができる。
【００８９】
そして、最も大きな押し下げ力を左押圧スイッチ９Ａまたは右押圧スイッチ９Ｂに加える必要があるスイッチ動作時点において、操作面の下面がほぼ垂直に左押圧棒１２Ａまたは右押圧棒１２Ｂを押すので横方向への分力はなく、左押圧スイッチ９Ａまたは右押圧スイッチ９Ｂを確実に動作させることができる。
【００９０】
次に、図５に示す４連型複合スイッチ１の４つの操作釦のうち、「標準の椅子」の図が表示されるプッシュ釦５Ａを選んだ場合の動作について説明する。
【００９１】
プッシュ釦５Ａの操作面を左側から見て、左端部近傍の〇印が記されたプッシュ操作面２４を下方へ押すと、図１に示したＦ−Ｆ線における動作状態を説明する断面図である図１６において、プッシュスイッチ３Ａのプッシュ釦５Ａは、第２押圧棒１４を押し上げている圧縮コイルばね２９の付勢力に抗して、プッシュ操作面２４とは反対側の端部の回動支持部２５を中心として左方向へ回動する。
【００９２】
この時、プッシュ釦５Ａ下方の脚部２７先端のガイド孔２８は、長円形の下部の半円形部分が円形軸１１との係合を離れて下方へ動き、プッシュ釦５Ａはプッシュ操作面２４の下面に弾接した第２押圧棒１４を下方へ押す。
【００９３】
これにより、第２押圧棒１４の下端が、当接している第２押圧スイッチ１０の押圧部を真直ぐ下方へ押して第２押圧スイッチ１０をＯＮさせると、その電気信号によって、それまでの操作で「背もたれ」や「足のせ台」の角度が変えられていたシートは、自動的に「標準の椅子」の姿勢になる。
【００９４】
そして、プッシュ操作面２４に加えていた押力を除くと、下面に弾接している第２押圧棒１４の付勢力により押し上げられて、プッシュ釦５Ａは回動支持部２５を中心として回動し、脚部２７のガイド孔２８下部の半円形部分が円形棒に係合する位置まで戻って第２押圧スイッチ１０は再びＯＦＦとなり、その押圧部も自己復帰力により元の位置まで戻る。
【００９５】
このようにして、シートを「標準の椅子」の状態に戻すことができる。
【００９６】
なお、このプッシュ釦５Ａのプッシュ操作面２４を押圧操作する時の押圧ストロークは、プッシュ釦５Ａのプッシュ操作面２４下方の側壁の端部が上ケース６の天井面に当たることにより規制されて、第２押圧スイッチ１０を過大に押さないようになっている。
【００９７】
同様に、プッシュ釦５Ｂのプッシュ操作面２４を下方へ押すと、今度はプッシュスイッチ３Ｂが動作して、シートを「フラットなベッド」の状態にすることができる。
【００９８】
プッシュスイッチ３Ａ，３Ｂは以上のように動作するものであるが、第２押圧スイッチ１０を動作させるためにプッシュ操作面２４を押した時にプッシュ釦５Ａ，５Ｂが回動支持部２５を中心として回動する角度は、左押圧スイッチ９Ａまたは右押圧スイッチ９Ｂを動作させるために、シーソースイッチ２Ａ，２Ｂのシーソー釦４Ａ，４Ｂが円形軸１１を中心として回動する角度よりもずっと小さいので、第２押圧スイッチ１０のスイッチ動作時点においても第２押圧棒１４を押すプッシュ操作面２４下面の傾きは小さい。
【００９９】
したがって、シーソー釦４Ａ，４Ｂのように操作面の下面を傾けておかなくても特に問題はない。
【０１００】
以上の説明において、多連型複合スイッチに配列するシーソースイッチおよびプッシュスイッチの数を４個としたが、これは３個や６個等任意の数とすることができる。
【０１０１】
また、複数個のシーソー釦やプッシュ釦を動作させる押圧スイッチは、動作ストロークや動作力および電気容量がすべて同じでなく、異なるものがあってもよい。
【産業上の利用可能性】
【０１０２】
本発明の多連型複合スイッチは、複数個のシーソースイッチのシーソー釦とプッシュスイッチのプッシュ釦を確実に整列して配設できるので、並べられた複数個の操作釦が上面視・側面視ともに安定した配列状態であるとともに、押圧操作時の感触が円滑である。
【０１０３】
したがって、旅客機や客船等のハイクラス用のシートやマッサージチェアの背もたれや足のせ台等の角度を変えて姿勢を調節するスイッチ等の用途に有用である。
【図面の簡単な説明】
【０１０４】
【図１】本発明の一実施の形態による４連型複合スイッチの正面断面図
【図２】図１のＤ−Ｄ線における断面図
【図３】図１のＥ−Ｅ線における断面図
【図４】図１のＦ−Ｆ線における断面図
【図５】同４連型複合スイッチの外観斜視図
【図６】（ａ）同４連型複合スイッチのプッシュ釦の回動支持部の拡大断面図、（ｂ），（ｃ）図６（ａ）のＧ−Ｇ線における断面図
【図７】（ａ），（ｂ），（ｃ）同４連型複合スイッチのプッシュ釦の回動支持部の他の構成を説明する正面断面図
【図８】（ａ），（ｂ）同４連型複合スイッチのプッシュ釦脚部のガイド孔の拡大図
【図９】同４連型複合スイッチのシーソー釦と捻りコイルばねの結合方法を説明する部分断面の側面図
【図１０】（ａ）同４連型複合スイッチの上ケースへのシーソー釦の挿入方法を説明する部分正面断面図、（ｂ）図１０（ａ）のＨ−Ｈ線における断面図
【図１１】（ａ），（ｂ）同４連型複合スイッチの上ケースへのプッシュ釦の挿入方法を説明する側断面図
【図１２】同４連型複合スイッチの釦挿入後の上ケースに円形軸を挿入する方法を説明する正面断面図
【図１３】同４連型複合スイッチの最終組合せ工程を説明する正面断面図
【図１４】同４連型複合スイッチの動作状態を説明する、図１に示したＤ−Ｄ線における断面図
【図１５】同４連型複合スイッチの動作状態を説明する、図１に示したＥ−Ｅ線における断面図
【図１６】同４連型複合スイッチの動作状態を説明する、図１に示したＦ−Ｆ線における断面図
【符号の説明】
【０１０５】
１    ４連型複合スイッチ（多連型複合スイッチ）
２Ａ，２Ｂ    シーソースイッチ
３Ａ，３Ｂ    プッシュスイッチ
４Ａ，４Ｂ    シーソー釦
５Ａ，５Ｂ    プッシュ釦
６    上ケース
６Ａ，６Ｂ    壁面
７    下ケース
８    配線基板
９Ａ    左第１押圧スイッチ（左押圧スイッチ）
９Ｂ    右第１押圧スイッチ（右押圧スイッチ）
１０    第２押圧スイッチ
１１    円形軸
１１Ａ    球面部
１１Ｂ    大径部
１２Ａ    左第１押圧棒（左押圧棒）
１２Ｂ    右第１押圧棒（右押圧棒）
１３Ａ，１３Ｂ，１５    筒状部
１４    第２押圧棒
１５Ａ    段付保持孔
１６Ａ    大角孔
１６Ｂ    小角孔
１７Ａ    主脚部
１７Ｂ    副脚部
１８Ａ，１８Ｂ    円形孔
１９Ａ    左操作面
１９Ｂ    右操作面
２０    リブ
２１    捻りコイルばね
２１Ａ    コイル部
２２Ａ    左フック部
２２Ｂ    右フック部
２３Ａ    左係止部
２３Ｂ    右係止部
２４    プッシュ操作面
２５    回動支持部
２６    長孔
２７    脚部
２８，３６    ガイド孔
２９    圧縮コイルばね
３０，３１，３２Ａ〜３２Ｃ，３４Ａ〜３４Ｃ    Ｌ字形突出部
３０Ａ    右方向突起
３１Ａ    左方向突起
３３Ａ〜３３Ｃ，３５Ａ〜３５Ｃ    横方向突起
３７    コネクタ
３８    リード線
３９    ばね付シーソー釦
４０Ａ    穴
４０Ｂ    貫通孔
４１    保持治具
４２    上ケース仕掛品
４３    配線基板仕掛品
４４    延長部
【図１】
2008269828.tif 000003
【図２】
2008269828.tif 000004
【図３】
2008269828.tif 000005
【図４】
2008269828.tif 000006
【図５】
2008269828.tif 000007
【図６】
2008269828.tif 000008
【図７】
2008269828.tif 000009
【図８】
2008269828.tif 000010
【図９】
2008269828.tif 000011
【図１０】
2008269828.tif 000012
【図１１】
2008269828.tif 000013
【図１２】
2008269828.tif 000014
【図１３】
2008269828.tif 000015
【図１４】
2008269828.tif 000016
【図１５】
2008269828.tif 000017
【図１６】
2008269828.tif 000018